(57)【要約】【課題】少ない部品数でかつ簡単な構造により、隙間封鎖部材を小さな力で移動できるようにするとともに、隙間封鎖部材の位置決めとその固定が簡単に行えるようにする。【解決手段】中方立３の片引き戸対向面に、部材長手方向に沿って凹溝５が設けられるとともに、凹溝５を形成している両側壁の少なくとも一方の側壁に、前記凹溝に貫通する貫通孔６が部材長手方向に間隔を空けて複数設けられ、前記貫通孔６に調整装置９が嵌合設置される。前記調整装置９は、表裏方向に貫通する中空部を有する外筒状部材１０と、この外筒状部材１０の中空部１２内に鉛直軸回りに揺動可能に軸支された揺動操作片１１とからなり、前記揺動操作片１１の先端が前記隙間封鎖部材７の係合溝７ａに対して係合し、かつ前記揺動操作片１１と前記外筒状部材１０とが歯合する歯合部を設けることにより揺動操作片１１が所定の揺動位置で停止状態に保持される。【選択図】図４
2020172802.tif 000002
【特許請求の範囲】
【請求項１】
隙間を封鎖するために中方立又は縦框に設けられる引き戸の隙間封鎖装置において、
前記中方立又は縦框の隙間封鎖側の面に、部材長手方向に沿って凹溝が設けられるとともに、凹溝を形成している両側壁の少なくとも一方の側壁に、前記凹溝に貫通する貫通孔が部材長手方向に間隔を空けて複数設けられ、
前記凹溝内に、部材長手方向に沿って係合溝を有するとともに、隙間封鎖側の面に隙間を封鎖するためのシール材が取り付けられた隙間封鎖部材が嵌合され、
前記貫通孔に、表裏方向に貫通する中空部を有する外筒状部材と、この外筒状部材の中空部内に鉛直軸回りに揺動可能に軸支された揺動操作片とからなる調整装置が嵌合設置されるとともに、前記揺動操作片の先端が前記隙間封鎖部材の係合溝に対して係合し、かつ前記揺動操作片と前記外筒状部材とが歯合する歯合部を設けることにより揺動操作片が所定の揺動位置で停止状態に保持され、
前記揺動操作片の水平方向の揺動操作により前記隙間封鎖部材が隙間封鎖側の面に直交する方向に移動調整可能に設けられていることを特徴とする引き戸の隙間封鎖装置。
【請求項２】
前記揺動操作片の見付け面に、操作用工具を係止させるための工具差込み溝を形成してある請求項１記載の引き戸の隙間封鎖装置。
【請求項３】
前記貫通孔は、凹溝を形成している両側壁のそれぞれに設けられている請求項１、２いずれかに記載の引き戸の隙間封鎖装置。
【発明の詳細な説明】
【技術分野】
【０００１】
本発明は、中方立と引き戸との間の隙間や両引き戸の縦框同士（召合せ框）の間の隙間などを封鎖するために、前記中方立又は縦框に設けられる引き戸の隙間封鎖装置に関する。
【背景技術】
【０００２】
従来より、例えば図１に示されるように、左右の縦枠４Ａ、４Ｂの中央部に中方立３を設け、一方側の縦枠４Ｂと中方立３との間が開口部とされるとともに、他方側の縦枠４Ａと中方立３との間が壁面部とされた壁面開口部に対して、前記中方立３と擦れることなく所定の隙間を空けて縦枠４Ａ、４Ｂ間にスライド可能に設けられた片引き戸が知られている。
【０００３】
このような構造の片引き戸では、前記中方立３と片引き戸２との間の隙間を封鎖するため、前記中方立３に隙間封鎖装置が設けられている。
【０００４】
例えば、下記特許文献１では、開動作の際には控え壁と手前側で重なるようにスライドする扉本体と、控え壁の開口側端部に配設される中方立とを備え、中方立の前端部垂直方向略全長に、扉本体表面に対し略直角方向で進退自在となるフィラー部材を設けた片引き戸において、中方立の前面部にフィラー部材が挿入可能で尚且つ側壁に貫通孔を有したスリットを設け、スリット内にフィラー部材を挿入し、貫通孔に挿入配設されるカム材の回動によりフィラー部材が扉本体表面に対し略直角方向で進退自在となるようにした片引き戸が開示されている。
【０００５】
また、下記特許文献２では、方立または縦框の長手方向に形成された収容溝に、引き戸表面に対して直角方向で進退自在となるように挿入され、前記方立と前記引き戸との間または前記引き戸の枠体となる縦框の召し合い部分の対向面側に生じる隙間を閉塞する隙間閉塞部材の突出量を調整する調整装置であって、
前記方立または縦框に固定され、かつ前記隙間閉塞部材の進退方向に並んだ複数の係合部を有する装置本体と、前記隙間閉塞部材の進退方向へのスライド動作と、該進退方向と直交する方向への変位動作とが可能となるように前記装置本体に支持され、かつ前記隙間閉塞部材に連結された連結部を有しており、前記隙間閉塞部材の進退方向に操作されたときの力を受けて、前記連結部を介して前記隙間閉塞部材を進退動作させるスライド部材と、前記スライド部材に固定され、かつ前記係合部と係合可能な被係合部を有しており、前記隙間閉塞部材の進退方向と直交する方向への前記スライド部材の変位動作によって、前記係合部と前記被係合部とが係合して前記スライド部材のスライド動作を規制する規制位置と、前記係合部と前記被係合部との係合が解除されて前記スライド部材のスライド動作を許容する解除位置との間を移動自在に構成された制動部材と、前記制動部材を前記規制位置に付勢する付勢手段とを備えている隙間閉塞部材の調整装置が開示されている。
【先行技術文献】
【特許文献】
【０００６】
【特許文献１】特許第４４８７４０８号公報
【特許文献２】特許第５１４９４６０号公報
【発明の概要】
【発明が解決しようとする課題】
【０００７】
しかしながら、前記特許文献１に係る片引き戸の場合は、図１３に示されるように、カム材５０に設けた突起５１をフィラー部材５２に形成した長孔５２ａに係合させた構造とし、カム材５０の回動操作によりフィラー部材５２が扉本体表面に対し略直角方向で進退自在となるようにしているが、フィラー部材５２を水平移動させる力は、カム材５０の回転方向の力の内、水平方向分力だけであり、フィラー部材５２が重い場合や水平方向分力が小さい場合は、カム材５０の回転操作に大きな力を要するなどの問題があった。また、カム材５０には回転停止手段を有しないため、調整時の回転停止位置で安定的に停止していることは困難で、使用している間に次第にカム材５０が回転し、フィラー部材５２の位置が変化してしまうという問題も発生していた。
【０００８】
一方、前記特許文献２に係る隙間閉塞部材の調整装置の場合は、スライド機構によって隙間閉塞部材を移動調整するようにするものであり、与えた力の全てを隙間閉塞部材の移動力として作用させることができるとともに、ストッパー機能も有する点で優れているが、機構が複雑であり部品点数が大幅に増え、コストが嵩むという問題があった。
【０００９】
そこで本発明の主たる課題は、少ない部品数でかつ簡単な構造によって、隙間封鎖部材を小さな力で移動できるようにするとともに、隙間封鎖部材の位置決めとその固定が簡単に行えるようにした引き戸の隙間封鎖装置を提供することにある。
【課題を解決するための手段】
【００１０】
上記課題を解決するために請求項１に係る本発明として、隙間を封鎖するために中方立又は縦框に設けられる引き戸の隙間封鎖装置において、
前記中方立又は縦框の隙間封鎖側の面に、部材長手方向に沿って凹溝が設けられるとともに、凹溝を形成している両側壁の少なくとも一方の側壁に、前記凹溝に貫通する貫通孔が部材長手方向に間隔を空けて複数設けられ、
前記凹溝内に、部材長手方向に沿って係合溝を有するとともに、隙間封鎖側の面に隙間を封鎖するためのシール材が取り付けられた隙間封鎖部材が嵌合され、
前記貫通孔に、表裏方向に貫通する中空部を有する外筒状部材と、この外筒状部材の中空部内に鉛直軸回りに揺動可能に軸支された揺動操作片とからなる調整装置が嵌合設置されるとともに、前記揺動操作片の先端が前記隙間封鎖部材の係合溝に対して係合し、かつ前記揺動操作片と前記外筒状部材とが歯合する歯合部を設けることにより揺動操作片が所定の揺動位置で停止状態に保持され、
前記揺動操作片の水平方向の揺動操作により前記隙間封鎖部材が隙間封鎖側の面に直交する方向に移動調整可能に設けられていることを特徴とする引き戸の隙間封鎖装置が提供される。
【００１１】
上記請求項１記載の発明では、中方立又は縦框の貫通孔に設置される前記調整装置は、表裏方向に貫通する中空部を有する外筒状部材と、この外筒状部材の中空部内に鉛直軸回りに揺動可能に軸支された揺動操作片とからなる構造とし、前記揺動操作片の先端が前記隙間封鎖部材の係合溝に対して係合し、かつ前記揺動操作片と前記外筒状部材とが歯合する歯合部を設けることにより揺動操作片が所定の揺動位置で停止状態に保持されるようにしている。
【００１２】
従って、本発明に係る前記調整装置は、前記外筒状部材と揺動操作片との２部品からなる簡単な構造となっており、前記揺動操作片の水平方向の揺動操作により前記隙間封鎖部材が隙間封鎖側の面に直交する方向に移動調整可能になっているため、与えた力の全てを隙間閉塞部材の移動力として作用させることができるようになり、隙間封鎖部材を小さな力で移動操作できるようになる。さらに、前記揺動操作片と前記外筒状部材とが歯合する歯合部を設けることにより揺動操作片が所定の揺動位置で停止状態に保持されるようになっているため、隙間封鎖部材の位置決めとその固定が簡単に行えるようになる。
【００１３】
請求項２に係る本発明として、前記揺動操作片の見付け面に、操作用工具を係止させるための工具差込み溝を形成してある請求項１記載の引き戸の隙間封鎖装置が提供される。
【００１４】
上記請求項２記載の発明では、前記揺動操作片の見付け面に、操作用工具を係止させるための工具差込み溝を形成してある。従って、前記工具差込み溝に対して、例えばマイナスドライバーなどの工具の先端を差し込んで、揺動操作片を水平方向に揺動操作できるようになる。
【００１５】
請求項３に係る本発明として、前記貫通孔は、凹溝を形成している両側壁のそれぞれに設けられている請求項１、２いずれかに記載の引き戸の隙間封鎖装置が提供される。
【００１６】
上記請求項３記載の発明では、前記貫通孔は、凹溝を形成している両側壁のそれぞれに設けられている。従って、隙間封鎖部材を進退させる調整装置は中方立の左右どちらの面にも挿入設置できるようになるため、中方立を左右勝手なく設置できるようになるため取付け作業を簡略化できるようになる。
【発明の効果】
【００１７】
以上詳説のとおり本発明によれば、少ない部品数でかつ簡単な構造によって、隙間封鎖部材を小さな力で移動できるようになるとともに、隙間封鎖部材の位置決めとその固定が簡単に行えるようになる。
【図面の簡単な説明】
【００１８】
【図１】隙間封鎖装置１を設けた片引き戸２の平面図である。
【図２】隙間封鎖部材１を示す要部斜視図である。
【図３】隙間封鎖部材１を示す、(A)は要部正面図、(B)はその左側面図である。
【図４】図３のIV−IV線矢視図（調整装置９部分の水平横断面図）である。
【図５】調整装置９を示す、(A)は正面側斜視図、(B)は裏面側斜視図である。
【図６】外筒状部材１０を示す、(A)は正面側斜視図、(B)は裏面側斜視図、(C)は水平横断面図、(D)は縦断斜視図である。
【図７】揺動操作片１１を示す、(A)は正面側斜視図、(B)は裏面側斜視図、(C)は縦断斜視図である。
【図８】調整装置９の組立て図である。
【図９】調整装置９における揺動操作片１１の操作要領図である。
【図１０】隙間封鎖部材７を移動状態を示す、(A)は最後退状態図、(B)は最前進状態図である。
【図１１】本発明を両引き戸の中方立に適用した場合の平面図である。
【図１２】本発明を引違い戸の縦框(召合せ框)に適用した場合の平面図である。
【図１３】特許文献１に係る従来の隙間封鎖装置の正面図である。
【発明を実施するための形態】
【００１９】
以下、本発明の実施の形態について図面を参照しながら詳述する。
【００２０】
図１に示される引き戸２は、例えば、左右の縦枠４Ａ、４Ｂの中央部に中方立３を設け、一方側の縦枠４Ｂと中方立３との間が開口部とされるとともに、他方側の縦枠４Ａと中方立３との間が壁面部とされた壁面開口部に対して、前記中方立３と擦れることなく所定の隙間を空けて縦枠４Ａ、４Ｂ間にスライド可能に設けられたものである。
【００２１】
本発明に係る引き戸の隙間封鎖装置１は、前記中方立３と引き戸２との間の隙間を封止するため、前記中方立３に設けられるものである。
【００２２】
前記隙間封鎖装置１は、図２〜図４に示されるように、前記中方立３の引き戸２の対向側の面（隙間封鎖側の面）に、部材長手方向に沿って凹溝５が設けられるとともに、凹溝５を形成している両側壁の少なくとも一方の側壁に、前記凹溝５に貫通する貫通孔６が部材長手方向に間隔を空けて複数設けられ、
前記凹溝５の内部に、部材長手方向に沿って係合溝７ａを有するとともに、引き戸２への対向側の面（隙間封鎖側の面）に中方立３と引き戸２との間の隙間を封鎖するためのシール材８が取り付けられた隙間封鎖部材７が嵌合され、
前記貫通孔６に、表裏方向に貫通する中空部を有する外筒状部材１０と、この外筒状部材１０の中空部内に鉛直軸回りに揺動可能に軸支された揺動操作片１１とからなる調整装置９が嵌合設置されるとともに、前記揺動操作片１１の先端が前記隙間封鎖部材７の係合溝７ａに対して係合し、かつ前記揺動操作片１１と前記外筒状部材１０とが歯合する歯合部を設けることにより揺動操作片１１が所定の揺動位置で停止状態に保持され、
前記揺動操作片１１の水平方向の揺動操作により前記隙間封鎖部材７が引き戸２の表面（隙間封鎖側の面）に直交する方向に移動調整可能に設けられているものである。
【００２３】
以下、更に図面に基づいて具体的に詳述する。
【００２４】
前記中方立３には、図３に示されるように、前記引き戸２に対向する面（引き戸対向面）の幅方向中央部に、部材長手方向に沿って、断面略コの字形の凹溝５が設けられている。そして、前記凹溝５を形成している両側壁３Ａ、３Ｂにはそれぞれ、前記凹溝５に貫通する貫通孔６、６…が部材長手方向に間隔を空けて複数設けられている。
【００２５】
前記両側壁３Ａ，３Ｂの両側壁にそれぞれ凹溝５に貫通する複数の貫通孔６、６が設けられているので、この隙間封鎖部材７を前後進させる調整装置９は左右どちら側にも挿入配置させることができる。このため、左右勝手なく、中方立３を設置できるので、取付作業が容易化できるようになる。なお、前記調整装置９の取付け面が決まっているならば、前記貫通孔６は両側壁３Ａ，３Ｂの内、調整装置９を取り付ける側の側壁にのみ貫通孔６を形成することでもよい。前記貫通孔６は、中方立３の部材長手方向に対して上下部の２箇所、又は上下部とその中間部の３箇所に設けることが好ましい。
【００２６】
前記中方立３の凹溝５の内部には、図４に示されるように、両側面にそれぞれ部材長手方向に沿って係合溝７ａ、７ａが形成されるとともに、引き戸２の対向面側に前記引き戸２に接触するか又は非接触状態で中方立３と引き戸２との間の隙間を封止するためのシール材８が取り付けられた隙間封鎖部材７が嵌合される。なお、前記シール材８は、引き戸２の表面に対して、通常は軽く接触させる程度とするのが望ましいが、ユーザーによっては引き戸２を軽い力で開け閉めできるように非接触としたい場合もある。
【００２７】
前記隙間封鎖部材７は、同図４に示されるように、金属材又は樹脂材から構成される。断面構成は、角状の中空部７Ａと、この中空部７Ａの後側中央部から突出して設けられるＴ字状突出片７Ｂと、前記中空部７Ａの前側の左右両側部から突出して設けられる左右一対のＬ字状突出片７Ｃとからなる。前記Ｔ字状突出片７Ｂによって、隙間封鎖部材７の両側面にそれぞれ、部材長手方向に沿って前記係合溝７ａ、７ａが形成されている。また、前記一対のＬ字状突出片７Ｃによって、隙間封鎖部材７の前面側（引き戸対向面側）に前記シール材８を取り付けるための取付溝７ｂが形成されている。
【００２８】
前記シール部材８は、ポリプロピレンやナイロンなどの繊維状軟質材８ｂをシート状の基材８ａに植設したものである。このシール材８は、前記基材８ａを前記隙間封鎖部材７の取付溝７ｂに部材長手方向端部から挿入することにより前記隙間封鎖部材７に取り付けられている。
【００２９】
一方、前記中方立３の貫通孔６には、調整装置９が嵌合設置されている。前記調整装置９は、図５に示されるように、表裏方向に貫通する中空部１２を有する外筒状部材１０と、この外筒状部材１０の中空部１２内に鉛直軸回りに揺動可能に軸支された揺動操作片１１とから構成されている。
【００３０】
前記外筒状部材１０は、詳細には図６に示されるように、正面視で円形の鍔部１０Ａと、この鍔部１０Ａの裏面に連続するとともに、前記鍔部１０Ａよりも小径の筒部１０Ｂとから構成される。前記筒部１０Ｂの外面には差込み方向に沿って突起１０ｂ、１０ｂ…が形成されており、この筒部１０Ｂを前記中方立３に形成された貫通孔６に対して押し込んで嵌入することにより、調整装置９が中方立３に取り付けられるようになっている。
【００３１】
前記外筒状部材１０には、前記鍔部１０Ａから筒部１０Ｂを通過し裏面に抜ける中空部１２が形成されている。この中空部１２内に前記揺動操作片１１が挿入設置される。前記中空部１２は、図６に示されるように、正面視形状が横長の太鼓形状とし、そこから所定距離だけ奥側に行ったところで一旦幅狭となった後、ラッパ状に拡大する平面形状とされる。また、中空部１２のやや鍔寄り側位置の上面と下面とにそれぞれ、前記揺動操作片１１を軸支するために突起軸１３Ａ，１３Ｂが設けられているとともに、筒部１０Ｂの中空部１２出口近傍の上下面にそれぞれ、前記揺動操作片１１を所定の揺動位置で停止状態に保持するために、下歯部１４Ａと上歯部１４Ｂとが形成されている。
【００３２】
一方、前記揺動操作片１１は、詳細には図７に示されるように、縦長の略立方体形状を成し、手前側に位置し先端側に向けて横幅をやや狭めた形状の胴体部１１Ａと、これに連続するとともに、先端に向けて横幅を漸次狭めた先鋭形状の先端部１１Ｂとから構成されている。前記胴体部１１Ａの手前側端面に縦溝状のマイナスドライバーの工具差込み溝１５が形成されている。また、胴体部１１Ａの上面及び下面にはそれぞれ、前記外筒状部材１０の中空部１２に形成した突起軸１３Ａ，１３Ｂが嵌合する軸受孔１６Ａ、１６Ｂが形成されているとともに、胴体部１１Ａの先端寄り側位置の上下面にそれぞれ、前記外筒状部材１０の下歯部１４Ａと上歯部１４Ｂにそれぞれ係合する歯合突部１７Ａ、１７Ｂが形成されている。
【００３３】
前述した外筒状部材１０と揺動操作片１１とを組み立てるには、図８に示されるように、外筒状部材１０の鍔側１０Ａ側から中空部１２内に揺動操作片１１を先端部１１Ｂ側から強引に押し込み、前記外筒状部材１０に形成した突起軸１３Ａ，１３Ｂを揺動操作片１１の軸受孔１６Ａ、１６Ｂに嵌合させるようにする。この組立て状態では、図９に示されるように、揺動操作片１１の工具差込み溝１５にマイナスドライバーなどの工具を差し込んで、水平方向に揺動させると、揺動操作片１１は図示されるように、突起軸１３Ａ、１３Ｂを回転中心として揺動操作片１１が揺動動作する。また、図５(B)に示されるように、前記外筒状部材１０の下歯部１４Ａと上歯部１４Ｂにそれぞれ、揺動操作片１１の歯合突部１７Ａ、１７Ｂが歯合した歯合部が構成されており、この歯合部によって、揺動操作片１１が所定の揺動位置で停止状態に保持されるようになっている。
【００３４】
前記調整装置９は、中方立３の貫通孔６に対して筒部１０Ｂを嵌入した状態で設置される。この状態では、図４に示されるように、揺動操作片１１の先端部１１Ｂが隙間封鎖部材７の係合溝７ａに対し係合している。
【００３５】
次に、前記隙間封止装置１の隙間調整手順について、図１０に基づいて説明する。図１０(A)は引き戸２と中方立３との間の隙間Ｓが小さい場合の図示例である。この場合は、揺動操作片１１に差し込んだマイナスドライバー２０を水平方向に揺動させて隙間封鎖部材７を凹溝５内に没入させる方向に後退させて、前記シール材８の先端部が引き戸２に軽く接触するように調整する。
【００３６】
また、図１０(B)は引き戸２と中方立３との間の隙間Ｓが大きい場合の図示例である。この場合は、揺動操作片１１に差し込んだマイナスドライバー２０を水平方向に揺動させて隙間封鎖部材７を凹溝５から抜け出す方向に前進させて、前記シール材８の先端部が引き戸２に軽く接触するように調整する。
【００３７】
〔他の形態例〕
(1)上記形態例では、引き戸２が１つ配置された片引き戸を例に採り本発明を説明したが、本発明は図１１に示されるような構造、すなわち左右の側にそれぞれ引き戸２，２を設けた両開き戸に対しても同様に適用が可能である。
(2)上記形態例では、中方立と引き戸２との隙間を封止するために、前記中方立３に対して、本発明に係る隙間封鎖装置１を設けた例を説明したが、図１２に示されるような引違い戸１８において、引き戸１８Ａの縦框１９（召合せ框）と引き戸１８Ｂの縦框１９（召合せ框）との間の隙間を封鎖するために一方側の縦框１９に対して、本発明に係る隙間封鎖装置１を設けることも可能である。
【符号の説明】
【００３８】
１…隙間封鎖装置、２…片引き戸、３…中方立、４Ａ・４Ｂ…縦枠、５…凹溝、６…貫通孔、７…隙間封鎖部材、８…シール材、７ａ…係合溝、９…調整装置、１０…外筒状部材、１０Ａ…鍔部、１１Ｂ…先端部、１１…揺動操作片、１１Ａ…胴体部、１１Ｂ…先端部、１２…中空部、１３Ａ・１３Ｂ…突起軸、１４Ａ…下歯部、１４Ｂ…上歯部、１５…工具差込み溝、１６Ａ・１６Ｂ…軸受孔、１７Ａ・１７Ｂ…歯合突部
【図１】
2020172802.tif 000003
【図２】
2020172802.tif 000004
【図３】
2020172802.tif 000005
【図４】
2020172802.tif 000006
【図５】
2020172802.tif 000007
【図６】
2020172802.tif 000008
【図７】
2020172802.tif 000009
【図８】
2020172802.tif 000010
【図９】
2020172802.tif 000011
【図１０】
2020172802.tif 000012
【図１１】
2020172802.tif 000013
【図１２】
2020172802.tif 000014
【図１３】
2020172802.tif 000015